(57)【要約】【課題】所定のエリアに対する呼出を簡易に実行する技術を提供する。【解決手段】呼出装置は、位置情報を含む呼出情報を取得する入力部２０と、エリアと識別子との対応関係が含まれたリストを記憶する記憶部２２と、入力部２０で取得した位置情報と記憶部２２に記憶されたリストに含まれるエリアとに基づいて識別子を選択し、選択された識別子を含む呼出信号を生成する選択部２４と、生成された呼出信号を端末装置に送信する通信部２６とを備える。【選択図】図２
2019106737.tif 000002
【特許請求の範囲】
【請求項１】
位置情報を含む呼出情報を取得する入力部と、
エリアと識別子との対応関係が含まれたリストを記憶する記憶部と、
前記入力部で取得した位置情報と前記記憶部に記憶されたリストに含まれるエリアとに基づいて識別子を選択し、選択された識別子を含む呼出信号を生成する選択部と、
生成された呼出信号を端末装置に送信する通信部と、
を備えることを特徴とする呼出装置。
【請求項２】
通信を実行する処理部をさらに備え、
前記通信部が端末装置の位置情報に基づく識別子と前記呼出信号に含まれる識別子とが一致した端末装置からの応答信号を受信した場合、
前記処理部は前記端末装置との通信を実行する、
ことを特徴とする請求項１記載の呼出装置。
【請求項３】
位置情報を含む呼出情報を取得するステップと、
エリアと識別子との対応関係が含まれたリストを記憶するステップと、
取得した位置情報と記憶されたリストに含まれるエリアとに基づいて識別子を選択し、選択された識別子を含む呼出信号を生成するステップと、
生成された呼出信号を端末装置に送信するステップと、
を含むことを特徴とする呼出方法。
【請求項４】
位置情報を含む呼出情報を取得するステップと、
エリアと識別子との対応関係が含まれたリストを記憶するステップと、
取得した位置情報と記憶されたリストに含まれるエリアとに基づいて識別子を選択し、選択された識別子を含む呼出信号を生成するステップと、
生成された呼出信号を端末装置に送信するステップとをコンピュータに実行させるためのプログラム。
【発明の詳細な説明】
【技術分野】
【０００１】
本発明は、通信技術に関し、特に通信のための呼出を実行する呼出装置、呼出方法、プログラムに関する。
【背景技術】
【０００２】
グループ通信の設定に時間をかけずに、指定したエリアに所在する移動局を対象としたグループ通信を行えるようにすることが望まれる。そのため、各移動局は、付帯するＧＰＳ（Ｇｌｏｂａｌ  Ｐｏｓｉｔｉｏｎｉｎｇ  Ｓｙｓｔｅｍ）受信装置によって自局の位置情報を取得する。統制局は、グループ通信の対象となる移動局のエリア情報を付加してグループ通信の呼び出し信号を送信する。移動局は、自局の位置情報と呼び出し信号のエリア情報とが合致した場合、統制局からのグループ通信を受信する（例えば、特許文献１）。
【先行技術文献】
【特許文献】
【０００３】
【特許文献１】特開２００９−１７７６３９号公報
【発明の概要】
【発明が解決しようとする課題】
【０００４】
位置情報は、一般的に緯度、経度によって示されているので、位置情報と比較されるエリア情報も緯度、経度によって示される。一方、所望のエリアにおけるグループ通信の呼出はより簡易である方が望ましい。
【０００５】
本発明はこうした状況に鑑みてなされたものであり、その目的は、所定のエリアに所在する移動局に対する呼出を簡易に実行する技術を提供することである。
【課題を解決するための手段】
【０００６】
上記課題を解決するために、本発明のある態様の呼出装置は、位置情報を含む呼出情報を取得する入力部と、エリアと識別子との対応関係が含まれたリストを記憶する記憶部と、入力部で取得した位置情報と記憶部に記憶されたリストに含まれるエリアとに基づいて識別子を選択し、選択された識別子を含む呼出信号を生成する選択部と、生成された呼出信号を端末装置に送信する通信部と、を備える。
【０００７】
本発明の別の態様は、呼出方法である。この方法は、位置情報を含む呼出情報を取得するステップと、エリアと識別子との対応関係が含まれたリストを記憶するステップと、取得した位置情報と記憶されたリストに含まれるエリアとに基づいて識別子を選択し、選択された識別子を含む呼出信号を生成するステップと、生成された呼出信号を端末装置に送信するステップと、を含む。
【０００８】
本発明のさらに別の態様は、プログラムである。このプログラムは、位置情報を含む呼出情報を取得するステップと、エリアと識別子との対応関係が含まれたリストを記憶するステップと、取得した位置情報と記憶されたリストに含まれるエリアとに基づいて識別子を選択し、選択された識別子を含む呼出信号を生成するステップと、生成された呼出信号を端末装置に送信するステップとをコンピュータに実行させる。
【０００９】
なお、以上の構成要素の任意の組合せ、本発明の表現を方法、装置、システム、記録媒体、コンピュータプログラムなどの間で変換したものもまた、本発明の態様として有効である。
【発明の効果】
【００１０】
本発明によれば、所定のエリアに所在する移動局に対する呼出を簡易に実行できる。
【図面の簡単な説明】
【００１１】
【図１】本発明の実施例１に係る通信システムの構成を示す図である。
【図２】図１の基地局装置の構成を示す図である。
【図３】図２の記憶部に記憶されたリストに対応したエリアを示す図である。
【図４】図２の記憶部に記憶されたリストのデータ構造を示す図である。
【図５】図１の端末装置の構成を示す図である。
【図６】図１の通信システムによる通信手順を示すシーケンス図である。
【図７】図５の端末装置による通信手順を示すフローチャートである。
【図８】本発明の実施例２に係る基地局装置の構成を示す図である。
【図９】図８の記憶部に記憶されたリストのデータ構造を示す図である。
【図１０】本発明の実施例２に係る通信システムによる通信手順を示すシーケンス図である。
【図１１】本発明の実施例３に係る基地局装置の構成を示す図である。
【図１２】本発明の実施例３に係る通信システムによる通信手順を示すシーケンス図である。
【図１３】本発明の実施例４に係る基地局装置の構成を示す図である。
【図１４】本発明の実施例４に係る通信システムによる通信手順を示すシーケンス図である。
【図１５】本発明の実施例５に係る通信システムによる通信手順を示すシーケンス図である。
【発明を実施するための形態】
【００１２】
（実施例１）
本発明を具体的に説明する前に、まず概要を述べる。本発明の実施例１は、業務用無線に対応した通信システムに関する。業務用無線は、予め定められた無線ＣＨにおいて音声通信を実行する。音声通信の一例がＰＴＴ（Ｐｕｓｈ  ｔｏ  Ｔａｌｋ）である。ＰＴＴでは、ユーザが、通話開始時にボタンを押し、通話終了時にボタンを解放する。また、業務用無線では、複数の端末装置によってグループを形成することも可能である。業務用無線の基地局装置は、グループに対して、上りチャネルと下りチャネルを割り当てる。このような状況下において、グループ中の１つの端末装置が、上りチャネルにて信号を送信し、グループ中の他の端末装置が、下りチャネルにて信号を受信する。このようなグループの通信の呼出では、グループに含まれた複数の端末装置が呼び出される。
【００１３】
しかしながら、通信の相手先として特定の場所に存在する端末装置を呼び出したい場合がある。例えば、ビルで火災が発生し、消防署の司令部で火災の通報を受け、司令部が火災現場へ消防士・警官を差し向けるために、現場の一番近くにいる人（単数あるいは複数）と通話を行いたい場合である。各消防士・警官の現在位置は各人が所持するＧＰＳ機器を通じて司令部が把握できていたとしても、現場の近くに居る人のみを呼び出すためには、現場の位置とそこに近い人が誰かを特定するという作業が必要なため手間がかかる。これに対応するために、本実施例に係る通信システムでは、例えば、１ｋｍ四方のエリアを複数規定し、各エリアに対して、エリアを特定するための識別子（以下、「エリアＮｏ．」という）を付与する。各端末装置は、取得した位置情報をもとに自らのエリアＮｏ．を認識する。基地局装置は、呼び出したいエリアに対応したエリアＮｏ．が含まれた呼出信号を複数の端末装置に送信する。端末装置は、呼出信号に含まれたエリアＮｏ．が自らのエリアＮｏ．と同一であれば、通信を実行する。
【００１４】
図１は、本発明の実施例１に係る通信システム１００の構成を示す。通信システム１００は、指令装置１０、ネットワーク１２、基地局装置１４、端末装置１６を含む。指令装置１０は、前述の司令部に設置された通信装置であり、司令部の指令者によって操作される通信装置である。指令者は、指令装置１０を操作することによって、端末装置１６の呼出を実行するとともに、呼び出した端末装置１６との通信、例えば通話を実行する。呼出の際、指令装置１０は、呼び出すべき位置情報を受けつける。位置情報は、例えば、緯度、経度によって示される。
【００１５】
ここで、指令者は、指令装置１０に緯度、経度を入力することによって、位置情報を入力する。また、指令装置１０に設けられた表示部（図示せず）が地図情報を表示し、指令者が地図情報の一点を選択することによって、位置情報を入力してもよい。指令装置１０は、位置情報が含まれた呼出の要求（以下、「呼出情報」という）をネットワーク１２経由で基地局装置１４に出力する。ネットワーク１２は、指令装置１０と基地局装置１４とを接続する。図１では説明を明瞭にするために、１つの基地局装置１４を示しているが、複数の基地局装置１４がネットワーク１２に接続されてもよい。
【００１６】
基地局装置１４は、業務用無線のシステムに対応した基地局装置である。業務用無線については公知の技術が使用されればよいので、ここでは説明を省略する。基地局装置１４は、一端側において、業務用無線により端末装置１６に接続され、他端側において、ネットワーク１２に接続される。基地局装置１４は、ネットワーク１２からの呼出情報を入力すると、業務用無線のシステムにおいて端末装置１６を呼び出すための信号（以下、「呼出信号」という）を生成する。基地局装置１４は、呼出信号を端末装置１６に送信する。ここでの送信は報知に相当する。なお、基地局装置１４と指令装置１０との少なくとも一方は「呼出装置」と総称されてもよい。
【００１７】
端末装置１６は、業務用無線による通信を実行可能な装置である。端末装置１６は、例えば、消防士・警官によって操作される通信装置である。消防士・警官は、端末装置１６を操作することによって、指令装置１０との通話を実行する。通話は、基地局装置１４からの呼出信号を受信してから開始される。図１では説明を明瞭にするために、１つの端末装置１６を示しているが、複数の端末装置１６が基地局装置１４に接続されてもよい。
【００１８】
図２は、基地局装置１４の構成を示す。基地局装置１４は、入力部２０、記憶部２２、選択部２４、通信部２６、処理部２８を含む。また、通信部２６は、送信部３０を含む。記憶部２２は、エリアとエリアＮｏ．との対応関係が複数含まれたリストを記憶する。ここでは、図３を使用しながら、このリストについて説明する。図３は、記憶部２２に記憶されたリストに対応したエリアを示す。所定の地域は、例えば、１ｋｍ四方の矩形状を有したエリアに分割される。また、各エリアには、識別子であるエリアＮｏ．が「１」等のように付与されている。なお、エリアの形状は、矩形状に限定されず、任意の形状であってもよい。また、エリア同士が重なっていてもよい。
【００１９】
図４は、記憶部２２に記憶されたリストのデータ構造を示す。図示のごとく、「エリアＮｏ．」と「エリア座標」とが対応づけられている。エリア座標は、図３に示したエリアにおける対角の２頂点の座標を示す。また、矩形状の１辺の長さが既知である場合に、エリア座標は、エリアの中心座標であってもよい。なお、図３に示した司令部の管轄地域の範囲（管轄範囲２００）は、基地局装置１４との通信が可能な範囲を示す。図２に戻る。
【００２０】
入力部２０は、図示しないネットワーク１２を介して指令装置１０からの呼出情報を入力する。前述のごとく、呼出情報には位置情報が含まれているので、呼出情報は、呼び出すべきエリアに関する情報といえる。例えば、エリア「５」内で「轢き逃げ」が発生した場合、呼出情報に含まれた位置情報は、エリア「５」内の座標を示す。また、エリア「３８」内で「火災」が発生した場合、呼出情報に含まれた位置情報は、エリア「３８」内の座標を示す。入力部２０は、呼出情報を選択部２４に出力する。
【００２１】
選択部２４は、入力部２０からの呼出情報を入力する。選択部２４は、記憶部２２において記憶したリストから、呼出情報に含まれた位置情報に対応したエリアＮｏ．を選択する。前述のごとく、位置情報がエリア「５」内の座標であれば、選択部２４は、エリアＮｏ．「５」を選択する。また、選択部２４は、エリアＮｏ．「５」だけではなく、エリアＮｏ．「５」の周辺のエリアＮｏ．も選択してもよい。選択部２４は、選択した１つ以上のエリアＮｏ．が含まれた呼出信号を生成し、呼出信号を送信部３０に出力する。
【００２２】
通信部２６は、業務用無線のシステムの送受信機能を有する。その中でも送信部３０は、選択部２４から呼出信号を入力する。送信部３０は、呼出信号を送信する。前述のごとく、ここでの送信は報知に相当する。呼出信号の送信後、通信部２６が１つ以上の端末装置１６から、呼出信号に対する応答信号を受信した場合、処理部２８は、通信部２６を介して、１つ以上の端末装置１６との通信を実行する。
【００２３】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００２４】
図５は、端末装置１６の構成を示す。端末装置１６は、取得部５０、記憶部５２、選択部５４、制御部５６、通信部５８、処理部６０を含む。取得部５０は、ＧＰＳによる測位機能を有し、端末装置１６の位置情報を定期的に取得する。なお、取得部５０が備える測位機能は、ＧＰＳ以外に対応していてもよい。ここでも位置情報は、例えば、緯度、経度によって示される。取得部５０は、位置情報を選択部５４に出力する。
【００２５】
記憶部５２は、取得部５０において取得されうる位置情報が含まれたエリアとエリアＮｏ．との対応関係が複数含まれたリストを記憶する。このリストは、図２の記憶部２２に記憶されたリスト、つまり図４に示されたリストと同一である。つまり、端末装置１６と基地局装置１４は、共通のリストを保持する。選択部５４は、記憶部５２において記憶したリストから、取得部５０において取得した位置情報に対応したエリアＮｏ．を選択する。以下では、この位置情報に応じて決まるエリアＮｏ．を「第１エリアＮｏ．」と呼ぶこともある。選択部５４は、選択したエリアＮｏ．を制御部５６に出力する。なお、選択部５４において選択されたエリアＮｏ．は、通信部５８から基地局装置１４、指令装置１０に送信されてもよい。
【００２６】
通信部５８は、基地局装置１４との間で業務用無線による通信を実行する。通信部５８は、基地局装置１４からの呼出信号を受信する。前述のごとく、呼出信号には、呼出対象となるエリアＮｏ．が含まれている。以下では、この呼出信号に含まれるエリアＮｏ．を「第２エリアＮｏ．」と呼ぶこともある。通信部５８は、呼出信号に含まれたエリアＮｏ．を制御部５６に入力する。
【００２７】
制御部５６は、通信部５８からのエリアＮｏ．を入力するとともに、選択部５４からのエリアＮｏ．を入力する。制御部５６は、両方のエリアＮｏ．が一致する場合に、基地局装置１４、ネットワーク１２を介した指令装置１０との通信の実行を決定する。なお、通信部５８から複数のエリアＮｏ．が入力された場合、それらのうちの１つと選択部５４からのエリアＮｏ．とが一致する場合に、制御部５６は、通信の実行を決定する。制御部５６が通信の実行を決定した場合、通信部５８は、応答信号を基地局装置１４に送信する。これに続いて、通信部５８、処理部６０は、通信を実行する。
【００２８】
以上の構成による通信システム１００の動作を説明する。図６は、通信システム１００による通信手順を示すシーケンス図である。端末装置１６は、位置情報を取得する（Ｓ１０）。端末装置１６は、エリアＮｏ．を選択する（Ｓ１２）。指令装置１０は、基地局装置１４に呼出情報を送信する（Ｓ１４）。基地局装置１４は、エリアＮｏ．を選択し（Ｓ１６）、呼出信号を生成する（Ｓ１８）。基地局装置１４は、呼出信号を送信する（Ｓ２０）。端末装置１６がエリアＮｏ．の一致を確認する（Ｓ２２）と、指令装置１０と端末装置１６は、通信を実行する（Ｓ２４）。
【００２９】
図７は、端末装置１６による通信手順を示すフローチャートである。取得部５０は、位置情報を取得する（Ｓ４０）。選択部５４は、エリアＮｏ．を選択する（Ｓ４２）。通信部５８が呼出信号を受信しなければ（Ｓ４４のＮ）、待機する。通信部５８が呼出信号を受信した場合（Ｓ４４のＹ）、エリアＮｏ．が一致すれば（Ｓ４６のＹ）、通信部５８、処理部６０は、通信を実行する（Ｓ４８）。エリアＮｏ．が一致しなければ（Ｓ４６のＮ）、ステップ４８はスキップされる。
【００３０】
本実施例によれば、エリアＮｏ．を使用して端末装置を呼び出すので、所定のエリアに対する呼出を簡易に実行できる。記憶部に記憶したリストから選択したエリアＮｏ．と呼出信号に含まれたエリアＮｏ．とを比較するので、エリアＮｏ．が含まれた呼出信号の受信だけですませることができる。また、エリアＮｏ．が含まれた呼出信号の受信だけですまされるので、トラヒック量を低減できる。また、呼び出したいエリアのみを指定すれば通話が可能になるので、エリアに居るのは誰かということを探す必要がなくなる。また、エリアに居るのは誰かということを探す必要がなくなるので、通話に至るまでの時間を短縮できる。
【００３１】
また、端末装置は、位置情報に対応したエリアＮｏ．を自発的に切りかえて、そのエリアＮｏ．で待ち受けるので、基地局装置との通信を不要にできる。また、基地局装置との通信が不要になるので、無線区間のトラヒック量を低減できる。また、基地局装置から端末装置に送信するデータ量を削減できる。
【００３２】
（実施例２）
次に、実施例２を説明する。実施例２は、実施例１と同様に、業務用無線に対応し、エリアＮｏ．によって端末装置を呼び出す通信システムに関する。実施例２における基地局装置、端末装置は、複数のリストを保持しており、所定の条件に応じて、共通の１つのリストを選択して使用する。これは、例えば、昼間は安全であるが夜間になると安全性が低下するような区域において、昼間よりも夜間においてパトロールする警官の数が増加する場合を想定するためである。夜間に区域内のある場所で犯罪が起こった場合、犯罪現場へその区域の警官全員が向かうと、犯罪現場以外のパトロールが手薄になってしまうので、そうならないよう必要最低限の警官のみを現場へ向かわせたい。実施例２に係る通信システム１００、端末装置１６は、図１、図５と同様のタイプである。ここでは、差異を中心に説明する。
【００３３】
図８は、本発明の実施例２に係る基地局装置１４の構成を示す。基地局装置１４は、入力部２０、記憶部２２、通信部２６、処理部２８、第１選択部３２、第２選択部３４を含む。また、通信部２６は、送信部３０を含む。
【００３４】
記憶部２２は、複数種類のリストを記憶する。図９は、記憶部２２に記憶されたリストのデータ構造を示す。図示のごとく、複数種類のリストは、第１リスト、第２リストのように示される。各リストでは、図４と同様に、エリアＮｏ．とエリア座標とが対応づけられる。例えば、第１リストは、昼間用（午前６時〜午後６時）のリストであり、第２リストは、夜間用（午後６時〜午前６時）のリストである。また、第１リストでのエリアは、１ｋｍ四方の矩形状を有し、第２リストでのエリアは、１００ｍ四方の矩形状を有する。つまり、複数種類のリストのそれぞれは、異なった大きさのエリアに対応する。なお、上述の昼間用リストと夜間用リストはあくまでも例示であり、３つ以上のリストを用いてもよい。図８に戻る。
【００３５】
第１選択部３２は、計時機能を有し、時刻を取得する。第１選択部３２は、時刻に応じて、記憶部２２において記憶した複数種類のリストのいずれかを選択する。すなわち、第１選択部３２は、時刻に係る所定のルール（リスト選択ルール）に従って、記憶部２２において記憶した複数種類のリストのいずれかを選択する。例えば、第１選択部３２は、時刻が午前６時〜午後６時であれば第１リストを選択し、時刻が午後６時〜午前６時であれば第２リストを選択する。第２選択部３４は、入力部２０からの呼出情報を入力する。第２選択部３４は、第１選択部３２において選択したリストから、呼出情報に含まれた位置情報に対応したエリアＮｏ．を選択する。選択は、選択部２４と同様になされればよい。第２選択部３４は、選択した１つ以上のエリアＮｏ．が含まれた呼出信号を生成し、呼出信号を送信部３０に出力する。
【００３６】
図５の端末装置１６において、記憶部５２は、複数種類のリストを記憶する。このリストは、図８の記憶部２２に記憶されたリストと同一である。選択部５４は、記憶部５２において記憶した複数種類のリストのうちのいずれかを切替ながら使用する。選択部５４は、第１選択部３２と同様に、計時機能を有し、時刻を取得する。選択部５４は、時刻に応じて、記憶部５２において記憶した複数種類のリストのいずれかを選択する。すなわち、選択部５４は、時刻に係る所定のルール（リスト選択ルール）に従って、記憶部５２において記憶した複数種類のリストのいずれかを選択する。第１選択部３２および選択部５４において、同一のルールが使用される。そのため、選択部５４は、基地局装置１４からの指示がなくても、基地局装置１４において使用されるリストと同一のリストを使用するように、切替を自律的に実行する。なお、第１選択部３２の計時機能と選択部５４の計時機能との誤差を小さくするために、時刻同期機能を備えるようにしてもよい。また、第１選択部３２および選択部５４において使用されるルールは、時刻に係るルールだけに限定される訳ではなく、他のルールを用いてもよい。
【００３７】
例えば、選択部５４、第１選択部３２は、曜日、月日、月初からの経過日、周囲の照度、気圧（天候）、温度、湿度などに応じて、リストを切りかえてもよい。例えば、端末装置１６に、照度、気圧、温度、湿度などを計測するセンサ（図示せず）を内蔵させておき、選択部５４がセンサデータを取得し、それに応じて、記憶部５２において記憶した複数種類のリストのいずれかを選択すればよい。この場合、基地局装置１４または外部の装置に端末装置１６に内蔵させたセンサと同様なセンサを設置し、第１選択部３２は、そのデータを利用して、リストの選択を行う。また、指令装置１０または基地局装置１４が司令部の管轄地域の範囲（管轄範囲２００）内に分散して設置された複数のセンサからデータを収集し、それらを集計したデータに基づいて、第１選択部３２がリストの選択を行ってもよい。また、指令装置１０または基地局装置１４が各種の気象情報を外部から取得して端末装置１６におけるセンサデータを推定し、第１選択部３２がその推定値に従ってリストの選択を行ってもよい。また、端末装置１６に内蔵させたセンサデータを端末装置１６から基地局装置１４に送信し、第１選択部３２がそのデータに応じて、リストの選択を行ってもよい。例えば、「気圧が９９０ヘクトパスカル以下になった場合、台風等の低気圧の接近が想定されるため、海岸や河川や崖など災害発生の危険性が高いエリアの面積が小さい（分割が細かい）リストを選択する」といった共通のルールに従って、端末装置１６と基地局装置１４のそれぞれにおいて、リストを選択する。また、時刻や各種センサデータを複数組み合わせたルールを用いて、リストを選択してもよい。すなわち、選択部５４および第１選択部３２は、時刻情報、カレンダー情報、センサ情報の内の少なくとも１つの情報に応じて、リストを選択することができる。さらに、選択部５４は、選択したリストから、取得部５０において取得した位置情報に対応したエリアＮｏ．を選択する。選択部５４は、選択したエリアＮｏ．を制御部５６に出力する。
【００３８】
以上の構成による通信システム１００の動作を説明する。図１０は、本発明の実施例２に係る通信システム１００による通信手順を示すシーケンス図である。端末装置１６は、位置情報を取得する（Ｓ６０）。基地局装置１４は、リストを選択し（Ｓ６２）、端末装置１６も、リストを選択する（Ｓ６４）。端末装置１６は、エリアＮｏ．（第１エリアＮｏ．）を選択する（Ｓ６６）。指令装置１０は、基地局装置１４に呼出情報を送信する（Ｓ６８）。基地局装置１４は、エリアＮｏ．（第２エリアＮｏ．）を選択し（Ｓ７０）、呼出信号を生成する（Ｓ７２）。基地局装置１４は、呼出信号を送信する（Ｓ７４）。端末装置１６が第１エリアＮｏ．と第２エリアＮｏ．の一致を確認する（Ｓ７６）と、指令装置１０と端末装置１６は、通信を実行する（Ｓ７８）。
【００３９】
本実施例によれば、複数種類のリストのうちのいずれかを切替ながら使用するので、状況に応じたリストを使用できる。また、基地局装置１４と端末装置１６それぞれにおいて、共通のリスト選択ルールを用いて、リストの切替を自律的に実行するので、リストの切替のための基地局装置との通信を不要にできる。また、リストの切替のための基地局装置との通信が不要になるので、トラヒック量を低減できる。また、基地局装置に複数のリストを記憶させておくので、所定の条件に応じて、リストを変更できる。また、リストを切りかえることによって、１つのエリアＮｏ．がカバーするエリアの大きさが変わるので、呼び出せる端末装置の対象範囲を変更できる。そのため、時間帯に応じて、必要最低限の警官のみを呼び出せるようなエリアの大きさを設定できる。
【００４０】
（実施例３）
次に、実施例３を説明する。実施例３は、これまでと同様に、業務用無線に対応し、エリアＮｏ．によって端末装置を呼び出す通信システムに関する。実施例３における基地局装置、端末装置も、複数のリストを保持しており、所定の条件に応じて、共通の１つのリストを選択して使用する。ここでは、特に、発生したイベントの種類に応じてエリアの大きさを変更するために、発生したイベントの種類、例えば、１００人集まるイベント、１０００人集まるイベント等に応じてリストを切りかえる。実施例３に係る通信システム１００、端末装置１６は、図１、図５と同様のタイプである。ここでは、差異を中心に説明する。
【００４１】
図１１は、本発明の実施例３に係る基地局装置１４の構成を示す。基地局装置１４は、入力部２０、記憶部２２、通信部２６、処理部２８、第１選択部３２、第２選択部３４、受付部３６を含む。また、通信部２６は、送信部３０を含む。記憶部２２は、複数種類のリストを記憶する。各々のリストには、図９のごとく、リストを識別するための識別子（以下、「リストＮｏ．」という）が付与されている。ここでも、リスト毎にエリアの大きさが異なっている。また、１つのリストに、異なった大きさのエリアが組合せされていてもよい。
【００４２】
受付部３６は、エリアの大きさを変更する指示（以下、「リスト情報」という）を指令装置１０から受けつける。リスト情報には、リストＮｏ．を特定するための情報が含まれる。ここで、司令部の指令者は、イベントの内容に応じて、使用すべきリストを選択し、選択したリストを指令装置１０に入力する。選択されたリストに関する情報がリスト情報として指令装置１０から出力される。受付部３６は、リスト情報を第１選択部３２に出力する。
【００４３】
第１選択部３２は、受付部３６からリスト情報を入力する。第１選択部３２は、リスト情報に応じたリストＮｏ．を記憶部２２から選択する。第１選択部３２は、選択したリストＮｏ．を送信部３０に出力する。送信部３０は、第１選択部３２からリストＮｏ．を入力し、リストＮｏ．を送信する。第２選択部３４は、送信部３０がリストＮｏ．を送信した後、入力部２０からの呼出情報を入力する。第２選択部３４は、第１選択部３２において選択したリストから、呼出情報に含まれた位置情報に対応したエリアＮｏ．を選択する。第２選択部３４は、選択した１つ以上のエリアＮｏ．が含まれた呼出信号を生成し、呼出信号を送信部３０に出力する。
【００４４】
図５の端末装置１６において、記憶部５２は、複数種類のリストを記憶する。このリストは、図１１の記憶部２２に記憶されたリストと同一である。すなわち、記憶部２２に記憶されたリストＮｏ．と同じリストＮｏ．が付与された複数種類のリストを記憶する。通信部５８は、使用すべきリストに関する情報、つまりリストＮｏ．を基地局装置１４から受信する。通信部５８は、リストＮｏ．を制御部５６経由で選択部５４に出力する。選択部５４は、リストＮｏ．を入力する。選択部５４は、記憶部５２において記憶した複数種類のリストの中から受信したリストＮｏ．に一致するリストを選択する。さらに、選択部５４は、選択したリストから、取得部５０において取得した位置情報に対応したエリアＮｏ．を選択する。選択部５４は、選択したエリアＮｏ．を制御部５６に出力する。
【００４５】
以上の構成による通信システム１００の動作を説明する。図１２は、本発明の実施例３に係る通信システム１００による通信手順を示すシーケンス図である。指令装置１０は、基地局装置１４にリスト情報を送信する（Ｓ９０）。基地局装置１４は、リストを選択する（Ｓ９２）。基地局装置１４は、リストＮｏ．を送信する（Ｓ９４）。端末装置１６は、リストを選択する（Ｓ９６）。端末装置１６は、位置情報を取得する（Ｓ９８）。端末装置１６は、エリアＮｏ．（第１エリアＮｏ．）を選択する（Ｓ１００）。指令装置１０は、基地局装置１４に呼出情報を送信する（Ｓ１０２）。基地局装置１４は、エリアＮｏ．（第２エリアＮｏ．）を選択し（Ｓ１０４）、呼出信号を生成する（Ｓ１０６）。基地局装置１４は、呼出信号を送信する（Ｓ１０８）。端末装置１６が第１エリアＮｏ．と第２エリアＮｏ．の一致を確認する（Ｓ１１０）と、指令装置１０と端末装置１６は、通信を実行する（Ｓ１１２）。
【００４６】
本実施例によれば、また、受信したリストＮｏ．にしたがってリストを切りかえるので、司令者の意志を反映したリストを使用できる。また、司令者の意志を反映したリストが使用されるので、現場に近い人のみを呼び出しできる。また、現場に近い人のみが呼び出しされるので、無駄に大勢の人を呼び出すことを回避できる。また、発生したイベントの種類に応じてエリアＮｏ．の範囲を変更するため、必要最低限の相手への呼び出しを可能にできる。また、必要最低限の相手への呼び出しが可能になるので、無駄な動き(不必要な人が現場へ急行する等)を回避できる。
【００４７】
（実施例４）
次に、実施例４を説明する。実施例４は、これまでと同様に、業務用無線に対応し、エリアＮｏ．によって端末装置を呼び出す通信システムに関する。実施例４における基地局装置、端末装置も、複数のリストを保持しており、所定の条件に応じて、共通の１つのリストを選択して使用する。ここでは、特に、端末装置の密集度に応じてエリアの大きさを変えて呼出を実行するために、端末装置の密集度に応じてリストを変更する。ある場所で犯罪が発生し、そこへ警官を差し向けたい場合、犯罪発生場所付近に多くの警官が存在すれば、犯罪発生場所付近のエリアを小さくして、最寄りの警官へのみを呼び出す方が好ましい。一方、犯罪発生場所付近に存在する警官が少ない場合、犯罪発生場所付近のエリアを大きくすることで、ある程度広範囲に存在する警官を呼び出すことが可能である。所望のエリアに警官がおらず、応答がないよりは、大きなエリアになっても（ピンポイントの精度が落ちても）、応答を担保できる方が好ましい。実施例４に係る通信システム１００、端末装置１６は、図１、図５と同様のタイプである。ここでは、差異を中心に説明する。
【００４８】
図１３は、本発明の実施例４に係る基地局装置１４の構成を示す。基地局装置１４は、入力部２０、記憶部２２、通信部２６、処理部２８、第１選択部３２、第２選択部３４、計数部３８を含む。また、通信部２６は、送信部３０を含む。計数部３８は、所定の期間にわたって、基地局装置１４に接続された端末装置１６の数を計数する。ここで、計数は、エリア毎あるいは複数のエリアをまとめたエリアグループ毎になされてもよい。そのため、計数された端末装置１６の数は、エリアあるいはエリアグループにおける密集度といえる。以下では、説明を明瞭にするためにエリア毎とする。計数部３８は、計数の結果を第１選択部３２に出力する。記憶部２２は、複数種類のリストを記憶する。ここでも、リスト毎にエリアの大きさが異なっている。また、１つのリストに、異なった大きさのエリアが組合せされていてもよい。
【００４９】
第１選択部３２は、記憶部２２に記憶した複数種類のリストから、計数部３８における計数の結果に応じたエリアの大きさに対応したリストを選択する。例えば、あるエリアに対する端末装置１６の数が第１のしきい値よりも高い場合、第１選択部３２は、そのエリアが小さくなるようなリストを選択し、端末装置１６の数が第２のしきい値以下である場合、そのエリアが大きくなるようなリストを選択する。これは、密集度が高い場合に、エリアを分割し、密集度が低い場合に、エリアを併合することに相当する。なお、１ｋｍ四方のエリアを１００ｍ四方のエリアに分割した後、特定のエリアの密集度が高くなった場合に、そのエリアをさらに細分化（例えば、５０ｍ四方）してもよい。このように、密集度に応じた、エリアの大きさの変更を複数回繰り返し行ってもよい。第１選択部３２は、選択したリストに対応したリストＮｏ．を送信部３０に出力する。端末装置１６における処理は、実施例３と同様であるので、ここでは説明を省略する。
【００５０】
以上の構成による通信システム１００の動作を説明する。図１４は、本発明の実施例４に係る通信システム１００による通信手順を示すシーケンス図である。基地局装置１４は、端末装置１６の数を計数する（Ｓ１３０）。基地局装置１４は、リストを選択する（Ｓ１３２）。基地局装置１４は、リストＮｏ．を送信する（Ｓ１３４）。端末装置１６は、リストを選択する（Ｓ１３６）。端末装置１６は、位置情報を取得する（Ｓ１３８）。端末装置１６は、エリアＮｏ．（第１エリアＮｏ．）を選択する（Ｓ１４０）。指令装置１０は、基地局装置１４に呼出情報を送信する（Ｓ１４２）。基地局装置１４は、エリアＮｏ．（第２エリアＮｏ．）を選択し（Ｓ１４４）、呼出信号を生成する（Ｓ１４６）。基地局装置１４は、呼出信号を送信する（Ｓ１４８）。端末装置１６が第１エリアＮｏ．と第２エリアＮｏ．の一致を確認する（Ｓ１５０）と、指令装置１０と端末装置１６は、通信を実行する（Ｓ１５２）。
【００５１】
本実施例によれば、端末装置の数に応じてエリアの大きさを変更するので、効率的な呼出を実現できる。また、効率的な呼出が実現されるので、無駄な呼出を抑制できる。また、リストＮｏ．を受信するだけでリストが切りかわるので、トラヒック量の増加を抑制できる。
【００５２】
（実施例５）
次に、実施例５を説明する。実施例５は、これまでと同様に、業務用無線に対応し、エリアＮｏ．によって端末装置を呼び出す通信システムに関する。実施例３、４における基地局装置、端末装置は、複数のリストを保持しており、基地局装置１４は、使用すべきリストＮｏ．を端末装置１６に通知する。一方、実施例５は、リストの自由度を向上させることを目的とする。そのため、基地局装置１４は、新たなリストを端末装置１６に送信し、端末装置１６に記憶されたリストを更新させる。実施例５に係る通信システム１００、端末装置１６は、図１、図５と同様のタイプである。また、実施例５に係る基地局装置１４は、図１１あるいは図１３と同様のタイプである。ここでは、差異を中心に説明する。
【００５３】
図１１あるいは図１３の記憶部２２は、新たなリストを記憶する。送信部３０は、記憶部２２に記憶された新たなリストを送信する。一方、図５の通信部５８は、新たなリストを基地局装置１４から受信する。記憶部５２は、通信部５８において受信したリストを記憶する。このような処理によって、記憶部５２に記憶されたリストが、基地局装置１４によって更新される。なお、送信部３０が、記憶部２２に記憶された新たなリストと、そのリストのリストＮｏ．とを関連付けて送信してもよい。その場合、記憶部５２は、通信部５８において受信したリストとリストＮｏ．とを関連付けて記憶する。そして、そのリストの２回目以降の使用においては、実施例３、４と同様に、基地局装置１４が、使用すべきリストＮｏ．を端末装置１６に通知することが可能になる。
【００５４】
以上の構成による通信システム１００の動作を説明する。図１５は、本発明の実施例５に係る通信システム１００による通信手順を示すシーケンス図である。指令装置１０は、基地局装置１４にリストを送信する（Ｓ１７０）。基地局装置１４は、リストを記憶する（Ｓ１７２）。基地局装置１４は、リストを送信する（Ｓ１７４）。端末装置１６は、リストを記憶する（Ｓ１７６）。端末装置１６は、位置情報を取得する（Ｓ１７８）。端末装置１６は、エリアＮｏ．（第１エリアＮｏ．）を選択する（Ｓ１８０）。指令装置１０は、基地局装置１４に呼出情報を送信する（Ｓ１８２）。基地局装置１４は、エリアＮｏ．（第２エリアＮｏ．）を選択し（Ｓ１８４）、呼出信号を生成する（Ｓ１８６）。基地局装置１４は、呼出信号を送信する（Ｓ１８８）。端末装置１６が第１エリアＮｏ．と第２エリアＮｏ．の一致を確認する（Ｓ１９０）と、指令装置１０と端末装置１６は、通信を実行する（Ｓ１９２）。
【００５５】
本実施例によれば、リストを受信するので、新たなリストにも対応できる。また、新たなリストにも対応するので、リストの変更に柔軟に対応できる。また、新たなリストにも対応するので、通信システムの自由度を向上できる。
【００５６】
以上、本発明を実施例をもとに説明した。この実施例は例示であり、それらの各構成要素や各処理プロセス・BR>フ組合せにいろいろな変形例が可能なこと、またそうした変形例も本発明の範囲にあることは当業者に理解されるところである。
【００５７】
本実施例によれば、通信システム１００は、業務用無線を使用している。しかしながらこれに限らず例えば、業務用無線以外の無線通信システムが使用されてもよい。本実施例によれば、構成の自由度を向上できる。
【００５８】
本実施例１乃至５において、エリアＮｏ．の選択、リストの選択、リストの記憶は、基地局装置１４においてなされている。しかしながらこれに限らず例えば、これらのうちの少なくとも１つの処理が、指令装置１０と基地局装置１４との組合せや、指令装置１０においてなされてもよい。本変形例によれば、構成の自由度を向上できる。
【符号の説明】
【００５９】
１０  指令装置、  １２  ネットワーク、  １４  基地局装置、  １６  端末装置、  ２０  入力部、  ２２  記憶部、  ２４  選択部、  ２６  通信部、  ２８  処理部、  ３０  送信部、  ５０  取得部、  ５２  記憶部、  ５４  選択部、  ５６  制御部、  ５８  通信部、  ６０  処理部、  １００  通信システム。
【図１】
2019106737.tif 000003
【図２】
2019106737.tif 000004
【図３】
2019106737.tif 000005
【図４】
2019106737.tif 000006
【図５】
2019106737.tif 000007
【図６】
2019106737.tif 000008
【図７】
2019106737.tif 000009
【図８】
2019106737.tif 000010
【図９】
2019106737.tif 000011
【図１０】
2019106737.tif 000012
【図１１】
2019106737.tif 000013
【図１２】
2019106737.tif 000014
【図１３】
2019106737.tif 000015
【図１４】
2019106737.tif 000016
【図１５】
2019106737.tif 000017